(57)【特許請求の範囲】
【請求項１】
紫外線を含む光を放射するランプを備えた植物病害防除用照明器具において、
器具本体又は前記ランプと植物とを繋ぐ紐部と、
前記紐部の植物側の端部に設けられた、該紐部を植物に繋いで固定するための固定部と、
前記紐部の中間部に設けられ、前記ランプから放射された光を遮光する遮光部と、を備えることを特徴とする植物病害防除用照明器具。
【請求項２】
前記紐部は、前記遮光部を該紐部に留めるための留め部を有することを特徴とする請求項１に記載の植物病害防除用照明器具。
【請求項３】
前記留め部は、前記紐部に複数、設けられていることを特徴とする請求項２に記載の植物病害防除用照明器具。
【請求項４】
前記留め部は、前記紐部において他の部分よりも太い部分により構成されており、
前記遮光部は、前記紐部を挿通可能な寸法の孔を有し、その孔に該紐部が通されて孔の縁が前記留め部に引っ掛かることにより、該留め部に留められることを特徴とする請求項２又は請求項３に記載の植物病害防除用照明器具。
【請求項５】
前記遮光部は、前記紐部が器具本体又は前記ランプと植物とを繋いだ状態で前記留め部に着脱自在に引っ掛けられる引っ掛け部を、該遮光部の上部に有することを特徴とする請求項２又は請求項３に記載の植物病害防除用照明器具。
【請求項６】
前記遮光部は、３００ｎｍ以下の紫外線をカットする特性を有することを特徴とする請求項１乃至請求項５のいずれか一項に記載の植物病害防除用照明器具。
【請求項７】
前記紐部は、弾性体により構成されていることを特徴とする請求項１乃至請求項６のいずれか一項に記載の植物病害防除用照明器具。
【請求項８】
前記紐部の長さは、３ｍ以内であることを特徴とする請求項１乃至請求項７のいずれか一項に記載の植物病害防除用照明器具。
【発明の詳細な説明】
【技術分野】
【０００１】
本発明は、紫外線を含む光を放射するランプを備えた植物病害防除用照明器具に関する。
【背景技術】
【０００２】
従来から、植物の上方にランプを設け、そのランプから紫外線を放射することにより、植物に病害抵抗性を誘導する植物病害防除用照明器具が知られている。この照明器具においては、植物が生長して背丈が高くなるときに、植物の上部とランプとの距離が短くなる。従って、植物はその上部ほど紫外線の照射量が多くなって、紫外線の被曝量が増え、植物上部に日焼け障害が生じる、という問題がある。
【０００３】
ところで、植物病害防除用照明器具ではないが、ゲージ本体の天板面に、開口部と閉鎖部とが互い違いに配置された遮光板を載せた栽培ゲージが知られている（例えば、特許文献１参照）。
【０００４】
この栽培ゲージの技術を上記植物病害防除用照明器具に適用すると、上記遮光板を植物の上方に配置することが考えられる。
【先行技術文献】
【特許文献】
【０００５】
【特許文献１】実開平６−２３４２３号公報
【発明の概要】
【発明が解決しようとする課題】
【０００６】
しかしながら、そのような技術においては、植物が生長して上方に伸びたときに、必ずしも植物上部が遮光板の閉鎖部の下方に位置するとは限らないことから、植物上部の日焼け障害を確実に抑制することは難しい。
【０００７】
本発明は、上記の問題を解決するためになされたものであり、紫外線を放射するランプを備えた植物病害防除用照明器具において、植物が生長しランプに近づくとき、その近づく部分の日焼けを確実に抑制できる植物病害防除用照明器具を提供することを目的とする。
【課題を解決するための手段】
【０００８】
上記目的を達成するために本発明の植物病害防除用照明器具においては、紫外線を含む光を放射するランプを備えた植物病害防除用照明器具において、器具本体又は前記ランプと植物とを繋ぐ紐部と、前記紐部の植物側の端部に設けられた、該紐部を植物に繋いで固定するための固定部と、前記紐部の中間部に設けられ、前記ランプから放射された光を遮光する遮光部と、を備えることを特徴とする。
【０００９】
この発明において、前記紐部は、前記遮光部を該紐部に留めるための留め部を有することが望ましい。
【００１０】
この発明において、前記留め部は、前記紐部に複数、設けられていることが望ましい。
【００１１】
この発明において、前記留め部は、前記紐部において他の部分よりも太い部分により構成されており、前記遮光部は、前記紐部を挿通可能な寸法の孔を有し、その孔に該紐部が通されて孔の縁が前記留め部に引っ掛かることにより、該留め部に留められてもよい。
【００１２】
この発明において、前記遮光部は、前記紐部が器具本体又は前記ランプと植物とを繋いだ状態で前記留め部に着脱自在に引っ掛けられる引っ掛け部を、該遮光部の上部に有していてもよい。
【００１３】
この発明において、前記遮光部は、３００ｎｍ以下の紫外線をカットする特性を有することが望ましい。
【００１４】
この発明において、前記紐部は、弾性体により構成されていることが望ましい。
【００１５】
この発明において、前記紐部の長さは、３ｍ以内であることが望ましい。
【発明の効果】
【００１６】
本発明によれば、器具本体が植物上方に配置され、器具本体又はランプと植物上部とが紐部により繋がれた場合に、植物が生長して高くなって、その上部がランプに近づくとしても、ランプから植物上部に向かう紫外線は遮光部により遮光される。従って、植物上部の紫外線被曝量を確実に減らすことができ、植物上部の日焼けを確実に抑制することができる。
【図面の簡単な説明】
【００１７】
【図１】（ａ）は本発明の一実施形態に係る植物病害防除用照明器具を示す正面図、（ｂ）はその平面図。
【図２】上記照明器具の紐部及び遮光部の斜視図。
【図３】（ａ）は上記照明器具の器具本体の正面図、（ｂ）はその一部拡大図、（ｃ）はその側面図。
【図４】上記紐部の一変形例を示す斜視図。
【図５】上記紐部の別の変形例を示す斜視図。
【図６】（ａ）は上記遮光部の一変形例を示す斜視図、（ｂ）はその遮光部の使用状態を示す斜視図。
【図７】（ａ）は上記器具本体の一変形例を示す正面図、（ｂ）はその側面図。
【図８】（ａ）は上記器具本体の別の変形例を示す正面図、（ｂ）はその側面図。
【図９】（ａ）は上記器具本体のさらに別の変形例を示す正面図、（ｂ）はその側面図。
【発明を実施するための形態】
【００１８】
本発明の一実施形態に係る植物病害防除用照明器具（以下、照明器具という）について図面を参照して説明する。図１（ａ）（ｂ）は、本実施形態の照明器具の構成を示す。この照明器具１は、ビニルハウス又はガラスハウス（以下、ハウスと総称）内の圃場Ｆ１に設置され、紫外線を放射し、その紫外線により圃場Ｆ１内の植物Ｐ１の病害抵抗性を誘導し、植物Ｐ１の病害を防除する器具である。
【００１９】
照明器具１は、紫外線を含む光を放射するランプ２と、ランプ２を保持する器具本体３と、器具本体３と植物Ｐ１とを繋ぐ紐部４と、紐部４の中間部に設けられ、ランプ２から放射された光を遮光する遮光部５とを備える。器具本体３は、支持部材３０により支持され、植物Ｐ１の上方に配置されている。紐部４は、紐４１と、紐４１を植物Ｐ１に繋いで固定するための固定部４２と、紐４１を器具本体３に繋いで係合するための係合部４３と、遮光部５を紐部４に留めるための留め部４４とを有する。固定部４２は、紐４１の植物Ｐ１側の端部に設けられ、係合部４３は、紐４１の器具本体３側の端部に設けられている。照明器具１は、圃場Ｆ１に複数、設置され、それらは互いに例えば５［ｍ］程度の間隔を空けて配置される。
【００２０】
圃場Ｆ１には、畝Ｒ１が互いに平行に形成され、各畝Ｒ１には、複数株の植物Ｐ１が畝Ｒ１に沿って植えられている。植物Ｐ１としては、トマト、ナス、キュウリ、シシトウ、ピーマン、メロン、スイカ等の果菜類、大豆、エダマメ、ソラマメ、エンドウ等の豆類、キク、バラ、トルコギキョウ、カーネーション、ケイトウ等の花き類、稲、又は茶等が適当である。植物Ｐ１は、背丈が高くなる種類であれば、いずれでもよい。
【００２１】
ランプ２は、２８０ｎｍから３２０ｎｍまでの波長範囲の紫外線（ＵＶ−Ｂ）を放射する。その波長範囲の紫外線には、植物Ｐ１の病害抵抗性を効果的に誘導する特性がある。ランプ２は、この紫外線を放射可能であれば、何れの発光形式又は形状の光源であってもよい。ランプ２は、蛍光灯、無電極放電ランプ、メタルハライドランプ又は高圧ナトリウム灯等の高輝度放電灯（ＨＩＤランプ）、発光ダイオード（ＬＥＤ）、若しくは有機エレクトロルミネッセンス（ＯＬＥＤ）等により構成されている。本実施形態において、ランプ２は、例えば、２０Ｗタイプの直管形ＵＶ‐Ｂ蛍光灯とし、手動操作により又は自動駆動回路により自動で毎日、昼間の６時間だけ点灯する。
【００２２】
器具本体３は、隣り合う畝Ｒ１の間で、畝Ｒ１の延伸方向に直交する方向と平行に配置されている。支持部材３０は、ハウスを構成する梁等により構成されるが、器具本体３を支持する専用の部材であってもよい。
【００２３】
次に、紐部４及び遮光部５について、図１に加え、図２を参照して説明する。図２は、紐部４及び遮光部５の構成を示す。
【００２４】
紐４１は、植物Ｐ１の背丈が生長により高くなって器具本体３と植物Ｐ１との距離が短くなったとしても、それらを直線状に繋ぐことができるように、伸縮性を有したゴム等の弾性体により構成されている。
【００２５】
紐部４の長さについて説明する。ここで、紐部４の長さが、ランプ２から、ランプ２の紫外線により日焼け等の障害を発生させ得るエリアの端までの距離よりも長いものとする。この場合に、植物Ｐ１が生長して、その上部が上記エリア圏内に入り込むとき、紐部４はたるんで、遮光部５の位置が下がってしまい、ランプ２から植物Ｐ１の上部に向かう紫外線を遮光部５により遮光し難くなる。それに対して、紐部４が、ランプ２から上記エリアの端までの距離以内の長さであれば、紐部４がたるむことを抑えて、遮光部５を上記遮光に適当な位置に配置し続けることができる。ランプ２が２０Ｗタイプであるとき、上記の距離は３ｍ程度であることから、紐部４の長さは３ｍとする。
【００２６】
固定部４２は、植物Ｐ１の枝等に引っ掛けられるフックにより構成されるが、これに限定されず、枝等を挟むクリップであってもよい。係合部４３は、器具本体３のフック３４に着脱自在に引っ掛けられて係合される環状部材により構成されるが、フックにより構成されていてもよい。
【００２７】
留め部４４は、貫通孔を有し、その貫通孔に紐部４が通されたゴム製の球体により構成されており、紐４１において他の部分よりも太い部分を成す。留め部４４は、紐４１に沿って移動自在であり、紐４１上のいずれの位置にも配置可能である。ただし、留め部４４の貫通孔の内面と紐部４との間には、留め部４３が自重と遮光部５の重さとにより勝手に移動しない程度の摩擦力が持たされている。留め部４４の形状及び素材は、上記に限定されない。留め部４４は、移動できないように、接着剤等により紐４１に固定されていてもよい。
【００２８】
遮光部５は、紐部４を挿通可能な寸法の孔５１を有した遮光板により構成され、その孔５１に紐部４が通されて孔５１の縁が留め部４４に引っ掛かることにより、留め部４４に留められる。上記遮光板は、ランプ２から放射された光の一部を反射又は減光して、植物Ｐ１に当たらないようにするものであり、その大きさは、ランプ２及び植物Ｐ１の大きさに応じて予め設定されている。上記遮光板は、円状であるが、この形状に限定されず、多角形状であってもよい。
【００２９】
上記遮光板に反射機能を持たせる場合、遮光板は、光非透過性を有したアルミニウム、ステンレス、鉄、又はサビ止め塗装を施した鋼板等の金属により形成できるが、特に、アルミニウムはＵＶ‐Ｂの反射率が高いことから、アルミニウム製のものが望ましい。このようなアルミニウム製の遮光板には、アルミニウムだけを用いたもの、アルミニウムにアルマイト処理を施したもの、別の材料をベースとして、その表面にアルミニウム蒸着を施したものが含まれる。さらに、上記遮光板には、アルミニウムの表面に、屈折率の異なる複数の透明材料を薄く多層に成膜してＵＶ‐Ｂ波長領域の光の反射量を増やす処理を施したものが含まれる。
【００３０】
上記遮光板に減光機能を持たせる場合、遮光板は、分光透過率が予め調整された透光性樹脂により形成できる。ところで、波長が３８０ｎｍ以下の紫外線のうち、ＵＶ‐Ｂ（波長が２８０〜３２０ｎｍの紫外線）及びＵＶ‐Ｃ（波長が２８０ｎｍ以下の紫外線）は、植物に対して日焼け障害を生じさせる特性がある。ただし、ＵＶ‐Ｂの中でも長波長側にある３００〜３２０ｎｍの波長範囲の紫外線は、比較的、植物に日焼け障害を生じさせ難く、また、植物に対して病害抵抗性を誘導する効果を有する。それに対して、３００ｎｍ以下の波長の紫外線は、植物に重度の損傷を与え得る。従って、上記遮光板に減光機能を持たせる場合、遮光板は、波長が３００ｎｍ以下のＵＶ‐Ｂと、ＵＶ‐Ｃとをカットする特性を有するものとする。
【００３１】
遮光部５に減光機能を持たせる場合、遮光部５は、上記金属製又は樹脂製の遮光板により構成され、その遮光板には、ランプ２からの放射光を通す孔が予め設けられ、それらの穴の大きさ及び数により、遮光板の透過率（開口率）が予め調整されていてもよい。
【００３２】
図３は、器具本体３の構成を示す。器具本体３は、器具筐体３１と、器具筐体３１の下方から突出したランプソケット３２と、ランプ２の放射光を反射する反射板３３とを有する。
【００３３】
器具筐体３１には、ランプ２の駆動回路が収容されており、ランプ２が蛍光灯、無電極放電灯又は高輝度放電灯により構成される場合、ランプ２の安定器が器具筐体３１に収められている。この安定器は、電子安定器と銅鉄安定器のいずれであってもよい。
【００３４】
ランプソケット３２は、ランプ２が装着されるランプ受け部材と、そのランプ受け部材にランプ２が保持された状態で、上記駆動回路からの電圧によりランプ２に給電する給電端子とが一体的に形成されている。
【００３５】
反射板３３は、器具筐体３１の下部に、ランプ２が延びる方向と平行に２枚設けられ、各反射板３３の先端部に、紐部４の係合部４３を引っ掛けるための上向きのフック３４が複数、等間隔に設けられている。フック３４は、図示の数に限定されない。それらの反射板３３は、ランプ２を挟んで対向するように配置され、上部がランプ２の方向に傾斜しており、ランプ２の放射光をランプ２下方の植物Ｐ１（図１参照）に向けるように反射する。
【００３６】
次に、図１乃至図３を参照して、照明器具１の使用方法を説明する。植物Ｐ１が概ね５０ｃｍ程度にまで生長したとき、作業者により、紐部４の係合部４３が器具本体３のフック３４に引っ掛けられ、紐部４の固定部４２が植物Ｐ１の頂上部付近の茎に固定される。遮光したい領域が広い場合、ランプ２に近い位置に遮光部５が配置される。
【００３７】
ここで、植物Ｐ１の背丈が概ね５０ｃｍ程度に達したときに紐部４を取り付ける理由を説明する。一般的に、ハウスは、人がハウス内で農作業をすることを前提として建てられているので、成人男子の平均身長以上の高さがある。従って、植物Ｐ１の背丈が低い状態では、器具本体３と植物Ｐ１との距離が長くなる。そのため、その状態で、紐部４を取り付けて、遮光部５によりランプ２の放射光を遮光したとしても、植物Ｐ１に向かう放射光のうち、遮光可能な範囲の放射光は限られる。従って、植物Ｐ１が概ね５０ｃｍ程度になるまでは、紐部４の取り付けを控えることにより、紐部４の張力による植物Ｐ１への負荷が減り、植物Ｐ１の生長への影響が抑えられる。
【００３８】
本実施形態では、植物Ｐ１の上方に配置された器具本体３と、植物Ｐ１の上部とが紐部４で繋がれることにより、植物Ｐ１が生長して高くなり、その上部がランプ２に近くなったとしても、ランプ２から植物Ｐ１の上部に向かう紫外線が遮光部５により遮光される。従って、植物Ｐ１の上部の紫外線被曝量を確実に減らすことができ、植物Ｐ１の上部の日焼けを確実に抑制することができる。しかも、植物Ｐ１の上部に向かう紫外線だけを遮光して、植物Ｐ１のランプ２から遠い部分に向かう紫外線はそのままにし、遠い部分への植物病害防除効果を維持することができる。また、紐部４は固定部４２により植物Ｐ１に固定されることから、植物Ｐ１が生長しても紐部４が外れ難くなり、日焼け抑制効果を確実に得られる。
【００３９】
また、遮光部５の孔５１に紐４１を通して孔５１の縁を留め部４４に引っ掛けるだけで、遮光部５を固定でき、固定作業が簡単になる。
【００４０】
また、植物Ｐ１が生長してランプ２に近づくとしても、遮光部５により、３００ｎｍ以下の波長の高エネルギーの紫外線がカットされるので、ランプ２に近い部位の葉及び実に対し、日焼け障害を抑制できる。また、３００ｎｍよりも長波長の低エネルギーの紫外線は透過されるので、上記部位の葉及び実に対して、病害抵抗性誘導の効果を維持できる。
【００４１】
また、紐４１は、弾性体により構成されることから、植物Ｐ１が生長して、植物Ｐ１の上部と器具本体３との距離が変化したとしても、紐４１をたるませずに、張力により直線状に維持することができる。従って、ランプ２から植物Ｐ１の上部に向かう紫外線を遮光部５により確実にカットできる。
【００４２】
また、紐部４の長さが３ｍ以内であるので、ランプ２が２０Ｗである場合、植物Ｐ１が生長して、ランプ２により日焼け障害が生じ得るエリア内（３ｍ圏内）に入り込むとしても、紐部４がたるむことを抑えて遮光部５を適当な位置に配置し続けることができる。
【００４３】
ところで、ランプ２は、直管形であることから、放射光がランプ２と直交する方向に広がるものの、その長手方向には殆んど広がらない。従って、器具本体３は、隣り合う畝Ｒ１の間で、畝Ｒ１の延伸方向と直交する方向に沿って配置されていることから、植物Ｐ１がランプ２の高さ近くまで生長したとしても、ランプ２近傍に配置された植物Ｐ１の上端部への紫外線照射量をさらに抑えることができる。また、ランプ２から遠い植物Ｐ１に対しては、畝間に障害物が無いことから、植物Ｐ１の側面方向から適当な光を照射できる。
【００４４】
以下、上記実施形態の各種変形例について図面を参照して説明する。下記の図面において、上記実施形態と同一の構成部材には、同一の符号を付す。
【００４５】
図４は、紐部４の一変形例を示す。その紐部４には、留め部４４が、複数、例えば等間隔に設けられている。本変形例においては、留め部４４によって規定された複数の位置の中から、任意の位置を選択して紐部４を固定することができる。しかも、紐部４の固定位置の変更作業は、他の留め部４４を選択して、その選択した留め部４４に引っ掛け直すだけで済み、簡単になる。
【００４６】
図５は、紐部４の別の変形例を示す。その紐部４においては、遮光板の幅よりも若干狭い間隔に並んだ２個の留め部４４が１組として、複数組の留め部４４が設けられている。本変形例においては、遮光部５の孔５１の縁を１組の留め部４４の隙間に差し込むことにより、遮光部５はそれらの留め部４４に挟持されるので、遮光部５に人が触れたり、風が当たったりしたとしても、遮光部５が紐部４から外れ難くなる。また、図４に示した変形例と同等の効果も得られる。なお、留め部４４は、紐部４に１組だけ設けられていてもよい。
【００４７】
図６は、遮光部５の一変形例を示す。その遮光部５は、紐部４が器具本体３と植物Ｐ１（図１参照）とを繋いだ状態で留め部４４に着脱自在に引っ掛けられる引っ掛け部５２を、遮光部５の上部に有する。引っ掛け部５２は、遮光部５の頂上部から上方に突出したフックにより構成される（図６（ａ）参照）。引っ掛け部５２を紐４１に引っ掛けて遮光部５を吊るすと、引っ掛け部５２は、留め部４４に当接して、移動が規制され、固定される（図６（ｂ）参照）。
【００４８】
本変形例においては、紐部４を植物Ｐ１に固定した後であっても、遮光部５の固定と取外しとが可能である。また、引っ掛け部５２を紐４１に引っ掛けるだけで、引っ掛け部５２は、遮光部５の重さにより紐４１に沿ってスライドして留め部４４に引っ掛かり、遮光部５は固定されるので、固定作業が簡単になる。また、遮光部５の取外し作業は、遮光部５を持ち上げることにより、引っ掛け部５２による留め部４４への引っ掛かりを解除するだけで済み、簡単になる。
【００４９】
図７は、器具本体３の一変形例を示す。その器具本体３においては、フック３４が、ランプソケット３２の両側面に設けられている。本変形例においても、上記実施形態と同等の効果が得られる。
【００５０】
図８は、器具本体３の別の変形例を示す。その器具本体３は、ランプ２が通される環状の耐熱性バンド３５を有し、このバンド３５に、フック３４が固定されている。フック３４には、紐部４の係合部４３が引っ掛けられ、このようにして、紐部４がランプ２に係合され、ランプ２と植物Ｐ１（図１参照）とを繋ぐ。本変形例においても、上記実施形態と同等の効果が得られる。
【００５１】
図９は、器具本体３のさらに別の変形例を示す。その器具本体３においては、フック３４の代わりに、渦巻ばね３６が設けられている。渦巻ばね３６は、最外周の端部が反射板３３の先端部に固定されることにより吊り下げられ、ランプ２の長手方向と直交する方向を向いており、最内周の端部が紐部４の係合部４３が引っ掛けられるフックとして機能する。
【００５２】
紐４１は、渦巻ばね３６の付勢力により引っ張られ、植物Ｐ１（図１参照）の背丈に係らず、直線状に保たれる。紐４１に耐久性を持たせるため、紐４１は、ステンレスワイヤ等により構成されることが望ましい。本変形例においても、上記実施形態と同等の効果が得られる。
【００５３】
なお、本発明は、上記実施形態及び各変形例の構成に限定されるものでなく、使用目的に応じ、様々な変形が可能である。例えば、各変形例は、他の変形例と組み合わされていてもよい。また、圃場Ｆ１は、露地であってもよい。
【００５４】
また、遮光部５は、紐部４に固定されるので、可能な限り薄く、かつ軽くするのが望ましいことから、遮光板のフレームだけを金属又は樹脂により形成し、そのフレームに保持される遮光板の本体部分を、薄い布状の樹脂、不織布又は紙等により形成してもよい。
【００５５】
また、紐部４がたるまないように紐部４を手動又は自動で巻き取るための巻き取り器を器具本体３に設けていてもよい。この場合、紐部４の長さが３ｍ程度であると、紐部４の巻き取り器内への収まりが適当になる。
【符号の説明】
【００５６】
１  植物病害防除用照明器具
２  ランプ
３  器具本体
４  紐部
４２  固定部
４４  留め部
５  遮光部
５１  孔
５２  引っ掛け部
Ｐ１  植物
【図１】
0005687562.tif 000002
【図２】
0005687562.tif 000003
【図３】
0005687562.tif 000004
【図４】
0005687562.tif 000005
【図５】
0005687562.tif 000006
【図６】
0005687562.tif 000007
【図７】
0005687562.tif 000008
【図８】
0005687562.tif 000009
【図９】
0005687562.tif 000010